(57)【特許請求の範囲】
【請求項１】
べースフレームに取り付けられてオープン位置とクローズ位置との間で前後に移動されるディスクトレイと、動作制御回路を備えた配線基板と、この配線基板を収容する筐体に具備された金属板でなる導電部材と、ばね板材でなるアース接片と、を備え、
上記アース接片は、その基端部の取付片部が上記配線基板に固着され、かつ、その先端部に曲成された接点部が上記導電部材に弾接されていて、上記配線基板の電荷がこのアース接片を経て上記導電部材に逃がされるようになっていると共に、上記ディスクトレイの前後の移動が、当該ディスクトレイに具備された前後に延びる突条に、べースフレーム側の複数箇所に設けられた係止爪を摺動自在に係合させることによって案内されるようになっている光ディスク装置において、
上記ディスクトレイの前後方向の移動経路の側部に上記アース接片が配備されていて、上記ディスクトレイがオープン位置とクローズ位置との間で前後に移動する途中で、そのディスクトレイの側部と上記アース接片に具備された山形断面の摺動部とが、上記前後方向に直交する方向での押合い状態で擦れ合い、かつ、それら両者の擦れ合いに伴って生起される上記アース接片の振動による変位によってそのアース接片の接点部が上記導電部材に弾接したまま擦れ合うようになっていることを特徴とする光ディスク装置。
【請求項２】
べースフレームに取り付けられてオープン位置とクローズ位置との間で前後に移動されるディスクトレイと、動作制御回路を備えた配線基板と、この配線基板を収容する筐体に具備された金属板でなる導電部材と、ばね板材でなるアース接片と、を備え、
上記アース接片は、その基端部の取付片部が上記配線基板に固着され、かつ、その先端部に曲成された接点部が上記導電部材に弾接されていて、上記配線基板の電荷がこのアース接片を経て上記導電部材に逃がされるようになっていると共に、上記ディスクトレイの前後の移動が、当該ディスクトレイに具備された前後に延びる突条に、べースフレーム側の複数箇所に設けられた係止爪を摺動自在に係合させることによって案内されるようになっている光ディスク装置において、
上記アース接片は、オープン位置からクローズ位置に向けて移動してきた上記ディスクトレイがクローズ位置に達する直前でそのディスクトレイの後端上縁のコーナに当接し、かつ、クローズ位置に達した上記ディスクトレイの後端上縁のコーナにより後方へ押し込まれる箇所に配備されていて、上記ディスクトレイの後端上縁のコーナによって上記アース接片が後方へ撓みながら押し込まれるときに、そのアース接片の接点部が上記導電部材の表面と擦れ合ったまま後方へ変位するようになっていることを特徴とする光ディスク装置。
【発明の詳細な説明】
【技術分野】
【０００１】
本発明は、光ディスク装置、特に、固定側部材としての配線基板に取り付けられたアース接片が導電部材に接触することによって、配線基板の電荷をアース接片を経て導電部材に逃がすというアース接続が行われるように構成されている光ディスク装置に関する。
【背景技術】
【０００２】
従来、光ディスク装置において、ディスクトレイに取り付けられた底板部材に突起部を具備させ、ディスクトレイが装置本体内を移動するときにその突起部が外装部材である下ケースの内面に対して摺動するように構成してアース経路を確保する技術が提案されていた（たとえば特許文献１参照）。また、情報処理装置において、装置筐体に対して移動する移動部にイジェクトスライダーを取り付け、移動部が移動するときにばね付勢されたイジェクトスライダーが装置筐体の導電性の底板に常時弾接するように構成して移動部のアースを行うという技術も提案されていた（たとえば特許文献２参照）。さらに、ディスク再生装置において、ディスク搭載テーブルの両側面に板ばね部材を支持させておくのに対して、筐体の両内壁面にロック部材を取り付けておき、ディスク搭載テーブルが排出位置に達したときに、板ばね部材の係合突起がロック部材によりロックされ、かつ、その係合突起が筐体の内壁面と接触して筐体とディスク搭載テーブルとのアース接続が行われるようにする技術も提案されていた（たとえば特許文献３参照）。
【０００３】
一方、本願発明者は、光ディスク装置において図４に示したアース接続構造を採用することを試みた。このものは、アース接片１を用いて固定側部材２としての配線基板を導電部材３にアース接続することを内容としている。具体的には、アース接片１はばね板材により形成されていて、その基端部の取付片部１２が固定側部材２としての配線基板にビスなどの止具４を用いて固着され、その先端部に曲成された接点部１３が、筐体の壁部を構成している金属板でなる導電部材３に弾接している。このアース接続構造を採用することによって、配線基板の電荷がアース接片１を経て金属板でなる導電部材３に逃がされるので、静電気などによって配線基板に搭載されている電気電子部品が損傷を受けたり静電破壊されたりすることが防止される。そして、そのような作用は、光ディスク装置のディスクトレイがオープン位置にあるかクローズ位置にあるかに関係なく常時発揮され、また、クローズ位置のディスクトレイからディスクを受け取ってチャッキングするディスクチャッキング機構が動作中であるか否か、ディスクチャッキング機構に保持されて回転するディスクの記録面を走査する光ピックアップが動作中であるか否か、ということに係わりなく常時発揮される。
【特許文献１】特開２００２−５６６４６号公報
【特許文献２】特開平１０−２０８４６０号公報
【特許文献３】特開平６−３０２０８０号公報
【発明の開示】
【発明が解決しようとする課題】
【０００４】
しかしながら、図４に示したアース接続構造では、アース接片１の接点部１３が常時弾接している金属板でなる導電部材３の表面に経時変化による酸化皮膜が形成されたり、その導電部材３の表面に汚れが付着したりして、アース接片１と導電部材３との電気的接触安定性や電気的接続信頼性が損なわれることがあった。そのため、図４で説明したアース接続構造を光ディスク装置に適用する場合には、アース接片１の接点部１３と導電部材３との電気的接触安定性や電気的接続信頼性を高めて上記した静電破壊抑制作用などを長期に亘って良好に発揮させ得るような対策を講じる必要が生じた。
【０００５】
この点に関し、特許文献１や特許文献２によって提案されている技術は、ディスクトレイ側に突起部を設けたり移動部にイジェクトスライダを設けたりすることによって、ディスクトレイや移動部の移動によって突起部やイジェクトスライダをその相手方部材である下ケースや装置筐体の底板と摺動させるというものであるので、下ケースや装置筐体の底板に酸化皮膜が発生したり汚れが付着したりしたとしても、突起部やイジェクトスライダが酸化皮膜や汚れを削り取って良好な電気的接続状態が保たれるという利点を持っている。
【０００６】
また、特許文献３には、ディスク搭載テーブルのオープン時、すなわち、ディスク搭載テーブルが筐体から引き出されているときに板ばね部材の係合突起が筐体の内壁面と接触して筐体とディスク搭載テーブルとのアース接続が行われるようになっている。
【０００７】
そこで、本願発明者は、鋭意研究を重ね、図４で説明したようなアース接続構造を採用する光ディスク装置では、ディスクトレイがオープン位置とクローズ位置との間で頻繁に移動される部材であることと、アース接片の接点部を変位させることによってその接点部で導電部材を擦らせるようにすると、導電部材の表面に発生した酸化皮膜や汚れが除去されてその表面がクリーニングされ、両者の接触安定性や電気的接続信頼性を向上させることができるであろうということと、に着目して本発明を完成するに至った。
【０００８】
したがって、本発明は、オープン位置とクローズ位置との間で頻繁に移動されるディスクトレイの動作を利用して配線基板に取り付けられているアース接片を変位させ得るような対策を講じることによって、図４で説明したようなアース接続構造を採用する光ディスク装置についての静電破壊抑制作用を長期に亘って良好に発揮させるようにすることを目的としている。
【０００９】
また、本発明は、部品点数を増やす必要がないにもかかわらず、アース接片と導電部材との接触安定性や電気的接続信頼性を向上させることができる光ディスク装置を提供することを目的とする。
【課題を解決するための手段】
【００１０】
本発明に係る光ディスク装置は、べースフレームに取り付けられてオープン位置とクローズ位置との間で前後に移動されるディスクトレイと、動作制御回路を備えた配線基板と、この配線基板を収容する筐体に具備された金属板でなる導電部材と、ばね板材でなるアース接片と、を備え、上記アース接片は、その基端部の取付片部が上記配線基板に固着され、かつ、その先端部に曲成された接点部が上記導電部材に弾接されていて、上記配線基板の電荷がこのアース接片を経て上記導電部材に逃がされるようになっていると共に、上記ディスクトレイの前後の移動が、当該ディスクトレイに具備された前後に延びる突条に、べースフレーム側の複数箇所に設けられた係止爪を摺動自在に係合させることによって案内されるようになっている光ディスク装置において、上記ディスクトレイの前後方向の移動経路の側部に上記アース接片が配備されていて、上記ディスクトレイがオープン位置とクローズ位置との間で前後に移動する途中で、そのディスクトレイの側部と上記アース接片に具備された山形断面の摺動部とが、上記前後方向に直交する方向での押合い状態で擦れ合い、かつ、それら両者の擦れ合いに伴って生起される上記アース接片の振動による変位によってそのアース接片の接点部が上記導電部材に弾接したまま擦れ合うようになっている。
【００１１】
この構成であれば、アース接片がオープン位置とクローズ位置との間で前後に頻繁に移動するディスクトレイの動作を通じて変位して導電部材と擦れ合うので、導電部材の表面に発生した酸化皮膜や汚れをアース接片が削り落とすという作用（セルフクリーニング作用という）が行われる。そのために、アース接片を介しての配線基板と導電部材との電気的接触安定性や電気的接続信頼性が長期に亘って保たれる。
【００１２】
しかも、アース接片を変位させる手段として、前後に移動するディスクトレイの側部をそのアース接片に当接させるという手段を採用しているため、特別な部品を余分に設ける必要がない。
【００１３】
この発明では、ディスクトレイがオープン位置とクローズ位置との間で前後に移動する途中で、そのディスクトレイの側部とアース接片に具備された山形断面の摺動部とが上記前後方向に直交する方向、言い換えると左右方向の押合い状態で擦れ合うという構成を採用していることにより、ディスクトレイの前後の移動時のがたつきがばね板材でなるアース接片の弾性により抑制されるという作用が発揮される。また、この作用を発揮させるためのアース接片の弾性にはそれほど大きい値が要求されないので、アース接片を介しての固定側部材と導電部材との接触安定性や電気的接続信頼性が長期に亘って保たれるという作用と共に、ディスクトレイの動作安定性が向上するという作用も発揮される。
【００１４】
本発明に係る他の光ディスク装置は、べースフレームに取り付けられてオープン位置とクローズ位置との間で前後に移動されるディスクトレイと、動作制御回路を備えた配線基板と、この配線基板を収容する筐体に具備された金属板でなる導電部材と、ばね板材でなるアース接片と、を備え、上記アース接片は、その基端部の取付片部が上記配線基板に固着され、かつ、その先端部に曲成された接点部が上記導電部材に弾接されていて、上記配線基板の電荷がこのアース接片を経て上記導電部材に逃がされるようになっていると共に、上記ディスクトレイの前後の移動が、当該ディスクトレイに具備された前後に延びる突条に、べースフレーム側の複数箇所に設けられた係止爪を摺動自在に係合させることによって案内されるようになっている光ディスク装置において、上記アース接片は、オープン位置からクローズ位置に向けて移動してきた上記ディスクトレイがクローズ位置に達する直前でそのディスクトレイの後端上縁のコーナに当接し、かつ、クローズ位置に達した上記ディスクトレイの後端上縁のコーナにより後方へ押し込まれる箇所に配備されていて、上記ディスクトレイの後端上縁のコーナによって上記アース接片が後方へ撓みながら押し込まれるときに、そのアース接片の接点部が上記導電部材の表面と擦れ合ったまま後方へ変位するようになっている。
【００１５】
これによれば、アース接片にディスクトレイが当接することによってディスクトレイに負荷が加わるのは、ディスクトレイがそのクローズ位置に到達したときだけに限定されるので、ディスクトレイの動作安定性がアース接片との当接によって損なわれるという事態の起こる余地がない。
【発明の効果】
【００１６】
以上のように、本発明に係る光ディスク装置では、そのアース接続構造が、オープン位置とクローズ位置との間で頻繁に移動されるディスクトレイの動作を利用して配線基板に取り付けられているアース接片を変位させ得るように構成されているので、図４で説明したようなアース接続構造を採用する光ディスク装置についての静電破壊抑制作用が長期に亘って良好に発揮されるようになる。また、部品点数を増やさずにアース接片と導電部材との接触安定性や電気的接続信頼性が向上し、併せて、ディスクトレイの動作安定性をも向上するという利点もある。
【発明を実施するための最良の形態】
【００１７】
図１は本発明に係る光ディスク装置の要部構成を説明的に示した平面図、図２（Ａ）は当該光ディスク装置に採用したアース接続構造の動作説明図、同（Ｂ）は他の状態での動作説明図、同（Ｃ）は同（Ａ）の要部の拡大図、図３（Ａ）は当該光ディスク装置に採用した他の事例によるアース接続構造の動作説明図、同（Ｂ）は他の状態での動作説明図、同（Ｃ）は同（Ｂ）の要部を拡大して示した横断平面図である。
【００１８】
図１において、１０はベースフレームで、このベースフレーム１０にディスクトレイ２０が矢印Ｙで示した前後方向に移動可能に取り付けられている。ディスクトレイ２０の前後移動は、ディスクトレイ２０に具備された前後に延びる突条２１に、ベースフレーム１０側に設けられた係止爪１５を前後左右の複数箇所で摺動自在に係合させていることによって案内される。また、ディスクトレイ２０の前方への移動限がそのオープン位置に規制されているのに対し、ディスクトレイ２０の後方への移動限がそのクローズ位置に規制されている。そして、ディスクトレイ２０の裏面に一体に具備された前後方向に延びるラック２２とベースフレーム１０側に設置されたモータ（不図示）によって回転駆動されるピニオン１６との噛合いによって、ディスクトレイ２０がオープン位置とクローズ位置との間で前後に移動される。
【００１９】
ディスクトレイ２０のクローズ位置は比較的高精度に定められていて、ディスクトレイ２０がクローズ位置に達しているときには、図示していないディスクチャッキング機構が、ディスクトレイ２０によって搬入されたディスクをディスクトレイ２０から受け取ってチャッキングする。また、ディスクチャッキング機構には、図示していないターンテーブルが含まれていて、ディスクチャッキング機構によってチャッキングされたディスクがターンテーブルと共に回転し、そのような回転中のディスクの記録面を図示していない光ピックアップで光学的に走査させることによって記録又は再生が行われる。
【００２０】
図２に示したように、アース接片１は細長いばね板材で製作されていて、その基端部の取付片部１２が固定側部材２にビスなどの止具４を用いて固着され、その先端部に曲成された接点部１３が金属板でなる導電部材３に弾接していると共に、そのアース接片１自体は、前上がり姿勢に配備されている。また、アース接片１の配備箇所は、ディスクトレイ２０がクローズ位置に達したときに、そのディスクトレイ２０の後端上縁のコーナ２３がアース接片１に当接してその接点部１３を後方へわずかに変位させることのできる箇所に定められている。この場合の接点部１３の後方への変位幅Ｈ１はきわめてわずかでよく、１ｍｍより小さい幅であってもよい。
【００２１】
この実施形態において、固定側部材２には配線基板Ｐが選ばれ、導電部材３には、図１で説明したベースフレーム１０などを収容している筐体の壁部を構成している金属板が選ばれている。そのため、このアース接続構造によれば、配線基板Ｐの電荷がアース接片１を経て筐体の壁部を構成している導電部材３に逃がされることになって、配線基板に搭載されている電気電子部品の静電破壊などのトラブルや制御系統へのノイズの侵入などが防止される。
【００２２】
以上のように構成されたアース接続構造を採用した光ディスク装置において、ディスクトレイ２０がオープン位置から図１や図２（Ａ）に示したクローズ位置まで矢印Ｙ１のように移動してくると、ディスクトレイ２０がクローズ位置に達する直前でアース接片１に当接し、クローズ位置に達したときには、ディスクトレイ２０がアース接片１を撓ませながら後方へわずかに押し込んでその押込み位置を保持するので、それに伴ってアース接片１の接点部１３が図２（Ｃ）に実線で示した初期位置から図２（Ｃ）の仮想線のように後方へ変位して変位後の位置に保持される。この場合、アース接片１の接点部１３は、導電部材３の表面と擦れ合ったまま後方へ変位するので、導電部材３の表面に酸化皮膜が形成されているときにはその酸化皮膜が接点部１３によって削り取られ、導電部材３の表面が汚れているときにはその汚れが接点部１３によって削り取られるというセルフクリーニング作用が発揮される。その結果、ディスクトレイ２０がクローズ位置に達してアース接続の安定性や信頼性が最も要求されている光ディスク装置の動作時に、アース接片１の接点部１２が必ず導電部材３のクリーンな表面に弾接して配線基板Ｐなどの電荷が確実に逃がされ、それによって安定したディスクの再生又は記録が行われるようになる。
【００２３】
図２（Ｂ）の矢印Ｙ２のように、ディスクトレイ２０がクローズ位置からオープン位置に向けて移動されると、ディスクトレイ２０がアース接片１から離れるので、アース接片２０がその弾性復帰力により元の形状に復帰し、接点部１２が導電部材３の表面と擦れ合いながら初期位置に復帰する。このときにも、導電部材３の表面が接点部１２と擦れてセルフクリーニングが行われる。
【００２４】
この実施形態では、アース接片１にディスクトレイ２０が当接することによってディスクトレイ２０に負荷が加わるのは、ディスクトレイ２０がそのクローズ位置に到達したときだけに限定されているので、ディスクトレイ２０の動作安定性がアース接片１との当接によって損なわれるという事態は起こり得ない。
【００２５】
また、この実施形態では、ディスクトレイ２０の後端上縁のコーナ２３をアース接片１に当接させるようにしてあるので、ディスクトレイ２０の形状を変更することなく、アース接片１にディスクトレイ２０を当接させることができるようになる。
【００２６】
以上説明した実施形態は、ディスクトレイ２０がクローズ位置に到達するときに、そのディスクトレイ２０でアース接片１を後方へ押し込んで変位させるという構成を採用しているけれども、これ以外の構成によっても、ディスクトレイ２０の動作を利用してアース接片１を変位させることが可能である。図３はそのような他の事例を示している。
【００２７】
図３の事例では、ディスクトレイ２０の前後の移動経路の側部にばね板材でなるアース接片１が配備されていて、ディスクトレイ２０がオープン位置とクローズ位置との間で前後に移動する途中で、そのディスクトレイ２０とアース接片１とが上記前後方向に直交する方向で擦れ合い、その擦れ合いに伴って生起されるアース接片１の変位により接点部１３が図３（Ｂ）の矢印Ｘのように微細に振動して変位し、それによって導電部材３と擦れ合うようになっている。この構成であると、オープン位置でディスクが載架されたディスクトレイ２０をクローズ位置に移動させるとき、及び、クローズ位置からディスクトレイ２０をオープン位置に引き出してディスクの交換などを行うときにアース接片１の接点部１３が導電部材３と擦れ合う。そのため、導電部材３の表面に酸化皮膜が形成されているときにはその酸化皮膜が接点部１３によって削り取られ、導電部材３の表面が汚れているときにはその汚れが接点部１３によって削り取られる。その結果、ディスクトレイ２０がクローズ位置に達してアース接続の安定性や信頼性が最も要求されている光ディスク装置の動作時に、アース接片１の接点部１２が必ず導電部材３のクリーンな表面に弾接して配線基板Ｐなどの電荷が確実に逃がされ、それによって安定したディスクの再生又は記録が行われるようになる。
【００２８】
この実施形態の構成を採用する場合、図１に符号イで示したベースフレーム１０の前端部に相応する箇所にアース接片１を配備することにより、ディスクトレイ２０が前後に移動するときにはディスクトレイ２０にアース接片１が常時擦れ合うように構成することも、あるいは、図１に符号ロで示したベースフレーム１０の後端部に相応する箇所にアース接片１を配備することにより、ディスクトレイ２０がクローズ位置に達する直前の段階だけでディスクトレイ２０がアース接片１に擦れ合うようにも構成することができる。前者の場合は、アース接片１がディスクトレイ２０と常時擦れ合うので、ディスクトレイ２０の前後の移動中は常に接点部１３が導電部材３と擦れ合ってその接触箇所を頻繁にクリーニングする。これに対し、後者の場合には、ディスクトレイ２０がクローズ位置に達するときだけ接点部１３が導電部材３と擦れ合ってその接触箇所をクリーニングする。したがって、いずれの場合も、ディスクトレイ２０がクローズ位置に達したときに、ディスクトレイ２０によってアース接片１が押されたままになってその接点部１３が導電部材３に電気的に確実に接触した状態を保つ。
【００２９】
また、この実施形態では、アース接片１のディスクトレイ２０との摺動部１５を図３（Ｃ）のように山形断面（たとえば円弧状断面）に成形してある。そのため、ディスクトレイ２０が合成樹脂成形体で製作されていても、そのディスクトレイ２０がアース接片１との摺動によって削れるという事態が起こらない。
【００３０】
さらに、この実施形態では、ディスクトレイ２０の側部２５にアース接片１が弾接するようになっている。そのため、ディスクトレイ２０とアース接片１とが擦れ合っているときには、ディスクトレイ２０とアース接片１の摺動部１５とが左右方向（上記前後方向に直交する方向）で押合い状態となってディスクトレイ２０の移動時のがたつきがアース接片１の弾性によって抑制され、そのことがディスクトレイ２０の動作安定性を高めることに役立っている。この場合でも、アース接片１の弾性を小さく抑えておくことにより、ディスクトレイ２０にその動作安定性を損なうような負荷が発生することが防止される。
【図面の簡単な説明】
【００３１】
【図１】本発明に係る光ディスク装置の要部構成を説明的に示した平面図である。
【図２】（Ａ）は当該光ディスク装置に採用したアース接続構造の動作説明図、（Ｂ）は他の状態での動作説明図、（Ｃ）は（Ａ）の要部の拡大図である。
【図３】（Ａ）は当該光ディスク装置に採用した他の事例によるアース接続構造の動作説明図、（Ｂ）は他の状態での動作説明図、（Ｃ）は（Ｂ）の要部を拡大して示した横断平面図である。
【図４】比較例としてのアース接続構造の説明図である。
【符号の説明】
【００３２】
１  アース接片
３  導電部材
１２  取付片部
１３  接点部
１５  摺動部
２０  ディスクトレイ
２３  ディスクトレイの後端上縁のコーナ
２５  ディスクトレイの側部
Ｐ  配線基板
【図１】
0004175289.tif 000002
【図２】
0004175289.tif 000003
【図３】
0004175289.tif 000004
【図４】
0004175289.tif 000005